(57)【要約】【課題】低いコストで電池の遊動を規制し、電気的接続が絶たれることがないようにする。【解決手段】電子機器本体４に取付けられ、電池２が嵌合する電池フレーム５を備える。電池フレーム５は、電池２の一端部２ａに設けられた端子部６と対接する接触端子７を備える。また、電池２の他端部２ｂと対向する位置において電池２に対して進退可能に設けられた電池押さえ８を備える。さらに、電池押さえ８を電池２が前記一端部２ａ側へ押圧されるように付勢するばね部材９を備えている。【選択図】  図１
2011086430.tif 000002
【特許請求の範囲】
【請求項１】
電子機器本体に取付けられ、電池が嵌合する形状に形成された電池フレームを備え、
前記電池フレームは、前記電池の一端部に設けられた端子部と対接する接触端子と、
前記電池の他端部と対向する位置において前記電池に対して進退可能に設けられた電池押さえと、
前記電池押さえを前記電池が前記一端部側へ押圧されるように付勢するばね部材とを備えていることを特徴とする電子機器の電池保持構造。
【請求項２】
請求項１記載の電子機器の電池保持構造において、前記電池押さえは、前記電池の他端部の両側部分を押圧するものであることを特徴とする電子機器の電池保持構造。
【請求項３】
請求項２記載の電子機器の電池保持構造において、前記電池押さえは、前記電池の前記他端部と平行に延在するように形成されて前記電池フレームに平行移動自在に支持され、
前記ばね部材は、前記電池押さえと前記電池フレームとの間に設けられた圧縮コイルばねによって構成されていることを特徴とする電子機器の電池保持構造。
【請求項４】
請求項２記載の電子機器の電池保持構造において、前記電池押さえは、前記電池フレームに前記電池の一側部から他側部に向かう方向の軸線回りに回動自在に支持され、
前記ばね部材は、前記電池押さえと前記電池フレームとの間に設けられたねじりコイルばねによって構成されていることを特徴とする電子機器の電池保持構造。
【発明の詳細な説明】
【技術分野】
【０００１】
本発明は、電子機器本体に電池を着脱可能に保持する電子機器の電池保持構造に関するものである。
【背景技術】
【０００２】
従来のこの種の電子機器の電池保持構造としては、例えば特許文献１に記載されているものがある。特許文献１に開示された電池保持構造は、携帯電話機の電池を着脱可能に保持するもので、携帯電話機の本体を構成するリアケースに設けられている。
【０００３】
この電池保持構造は、電池が収納される凹陥部が形成されたリアケースと、この凹陥部内に挿入された電池の一端部を着脱可能に保持する第１の係合部と、前記電池の他端部を着脱可能に保持する第２の係合部とによって構成されている。
前記凹陥部は、電池の形状と略同じ形状に開口し、電池の取付け、取外しを容易にできる大きさに形成されている。
【０００４】
この凹陥部の内側底部には、携帯電話機側の接触端子が凹陥部内に臨むように設けられている。この接触端子は、前記凹陥部内に挿入された電池の端子部に接触する。言い換えれば、電池の前記端子部は、凹陥部内に電池が収納された状態で前記接触端子に接触する位置に設けられている。
前記第１の係合部は、電池の一端部に突設された係合突起と、前記凹陥部の内側壁に前記係合突起が係合できるように形成された凹部とから構成されている。
【０００５】
前記第２の係合部は、前記凹陥部の内側壁のうち電池の他端部と対向する部分に設けられたロック部材と、このロック部材が係合する電池側の係合穴と、ロック部材を前記係合穴に向けて付勢する圧縮コイルばねとから構成されている。
前記ロック部材は、板状に形成されており、前記係合穴内に挿入されて係合する前進位置と、前記係合穴から出る後退位置との間で往復できるように、前記リアケースに移動自在に支持されている。また、ロック部材の先端部には、電池が押し付けられたときにロック部材が後退するように傾斜面が形成されている。
【０００６】
前記電池と携帯電話機との電気的接続は、前記凹陥部の内側底部に凹陥部内に向けて突設された接触端子と、この接触端子に接続するように電池に設けられた電池側の端子部とを用いて行われる。
この電池保持構造において、電池が凹陥部内に収納されている状態では、電池の前記他端部にロック部材が圧縮コイルばねのばね力により押し付けられることによって、電池が一端部側へ押圧される。また、電池が凹陥部内に収納されることによって、電池の端子が携帯電話側の接触端子に接触する。
【先行技術文献】
【特許文献】
【０００７】
【特許文献１】特開２０００−３４０１９６号公報
【発明の概要】
【発明が解決しようとする課題】
【０００８】
特許文献１に示したような従来の電池保持構造では、リアケースに強い衝撃が加えられたときなどに電池の端子部と携帯電話機側の接触端子との電気的接続が瞬間的に絶たれるおそれがあった。これは、前記衝撃により電池が凹陥部内で遊動するからであると考えられる。
【０００９】
電池が前記凹陥部内で遊動することを防ぐためには、凹陥部の寸法精度を向上させて電池と凹陥部の内側面との間のクリアランスを狭くすることが有効である。しかしながら、前記クリアランスを狭く形成するには限界がある。これは、電池に較べて相対的に大型の部材であるリアケースは、成形後の収縮を許容するために寸法公差を大きくとらなければならないからである。また、凹陥部の寸法精度を高くするためには、リアケースを成形する金型の精度をさらに向上させなければならず、金型の製造費用が高くなってしまう。
【００１０】
本発明はこのような問題を解消するためになされたもので、低いコストで電池の遊動を規制し、電気的接続が絶たれることがないように常に電池を正しく保持することが可能な電子機器の電池保持構造を提供することを目的とする。
【課題を解決するための手段】
【００１１】
この目的を達成するために、本発明に係る電子機器の電池保持構造は、電子機器本体に取付けられ、電池が嵌合する形状に形成された電池フレームを備え、前記電池フレームは、前記電池の一端部に設けられた端子部と対接する接触端子と、前記電池の他端部と対向する位置において前記電池に対して進退可能に設けられた電池押さえと、前記電池押さえを前記電池が前記一端部側へ押圧されるように付勢するばね部材とを備えているものである。
【発明の効果】
【００１２】
本発明によれば、電池は、電池フレームに嵌合した状態で保持される。電池が電池フレームに嵌合した状態において、電池押さえがばね部材のばね力によって電池を他端部側から一端部側に向けて押圧し、電池の端子部が電池フレームの接触端子に押し付けられる。このため、電池と電池フレームとが実質的に一体になるから、電池の端子部と電池フレームの接触端子との電気的接続を良好な状態に保つことができる。
【００１３】
電池フレームは、電子機器本体とは別体に形成されており、電子機器本体を成形する金型より小型で安価な金型で成形することができる。このため、電池フレームは、電子機器本体の寸法精度を高くする場合に較べて少ない費用で精度よく形成することができる。
また、電池フレームは、電子機器本体に較べて小型であり、成形時の収縮量も少ないから、小さい寸法公差で形成することができる。
【００１４】
このため、電池フレームと電池とのクリアランスを衝撃で電池が遊動することがないように狭く形成することができる。
したがって、本発明によれば、低いコストで電池の遊動を規制し、電気的接続が絶たれることがないように常に電池を正しく保持することが可能な電子機器の電池保持構造を提供することができる。
【図面の簡単な説明】
【００１５】
【図１】本発明に係る電子機器の電池保持構造を示す分解斜視図である。
【図２】本発明に係る電池保持構造の平面図である。
【図３】携帯電話の電池装着部分を示す分解斜視図である。
【図４】電池フレームの斜視図である。
【図５】電池フレームと電池押さえの要部を拡大して示す斜視図である。
【図６】図２におけるVI-VI線断面図で、同図（Ａ）は電池を収納する以前の状態を示し、同図（Ｂ）は電池を収納した状態を示す。
【図７】携帯電話の電池装着部分を示す分解斜視図である。
【図８】電池フレームにおける電池押さえ取付部の断面図である。
【図９】電池押さえの斜視図である。
【発明を実施するための形態】
【００１６】
（第１の実施例）
本発明に係る電子機器の電池保持構造の一実施例を図１によって詳細に説明する。
図１に示す電子機器１は、携帯電話機であり、電池２を着脱可能に保持する電池保持構造３を備えている。
【００１７】
この実施例による電池保持構造３は、携帯電話機の構成部品（図示せず）を有する電子機器本体４に取付けられた電池フレーム５を備えている。この電池フレーム５は、電池２が嵌合する形状に形成されている。
電池２は、平面視長方形の板状に形成されている。この電池２の一端部２ａには、放電と充電とを行うための端子部６が設けられている。前記一端部２ａは、携帯電話機を正しく持ったときに下側に位置する端部である。
【００１８】
前記電池フレーム５は、前記電池２の端子部６と対接する接触端子７と、前記電池２の他端部２ｂと対向する電池押さえ８と、この電池押さえ８を電池２側へ付勢するためのばね部材９とを備えている。
前記電池押さえ８は、電池２に対して進退するように電池フレーム５に移動自在に支持されている。
前記ばね部材９は、前記電池押さえ８と電池フレーム５との間に設けられている。すなわち、ばね部材９は、電池押さえ８を電池２が前記一端部２ａ側へ押圧されるように付勢している。
【００１９】
この実施例による電池保持構造３に電池２を保持させるためには、電池２を電池フレーム５内に嵌合させることによって行う。電池２を電池フレーム５内に嵌合させるときは、例えば、先ず、電池２の一端部２ａを電池フレーム５内に挿入して端子部６を電池フレーム５の接触端子７に接触させる。そして、電池フレーム５内に電池２が嵌合できるように、電池押さえ８を電池２とは反対側へ移動させ、その位置で電池押さえ８の移動を規制する。この移動の規制は、操作者の指で電池押さえ８を押すことによって行うことができる。
【００２０】
その後、電池２の他端部２ｂを電池フレーム５内に挿入し、電池全体を電池フレーム５内に嵌合させる。このように電池２が電池フレーム５に嵌合している状態で電池押さえ８の移動規制を解除する。移動規制が解除された電池押さえ８は、ばね部材９のばね力によって電池２の前記他端部２ｂを一端部２ａ側に向けて押圧する。このため、電池２の端子部６は、電池フレーム５の接触端子７に押し付けられる。
【００２１】
したがって、この実施例による電池保持構造３においては、電池２と電池フレーム５とが実質的に一体になるから、電池２の端子部６と電池フレーム５の接触端子７との電気的接続を良好な状態に保つことができる。
電池フレーム５は、電子機器本体４とは別体に形成されており、電子機器本体４を成形する金型（図示せず）より小型で安価な金型で成形することができる。このため、電池フレーム５は、電子機器本体４の寸法精度を高くする場合に較べて少ない費用で精度よく形成することができる。
【００２２】
また、電池フレーム５は、電子機器本体４に較べて小型であり、成形時の収縮量も少ないから、小さい寸法公差で形成することができる。このため、電池フレーム５と電池２とのクリアランスを衝撃で電池２が遊動することがないように小さく形成することができる。
したがって、この実施例によれば、低いコストで電池２の遊動を規制し、端子部６と接触端子７との電気的接続が絶たれることがないように常に電池２を正しく保持することが可能な電子機器の電池保持構造を提供することができる。
【００２３】
（第２の実施例）
本発明に係る電子機器の電池保持構造の具体的な実施例を図２〜図６によって詳細に説明する。これらの図において、前記図１によって説明したものと同一もしくは同等の部材については、同一符号を付し詳細な説明を適宜省略する。
【００２４】
図２に示す電子機器１は、携帯電話機であり、電子機器本体４に本発明に係る電池保持構造３によって電池２を着脱可能に保持させたものである。図２は、電子機器本体４を裏側から見た状態で描いてある。この携帯電話機の操作キーやディスプレイパネルは、図示してはいないが、電子機器本体４の表側に設けられている。
【００２５】
この実施例による電子機器本体４は、図３に示すように、ベース筐体１１と、このベース筐体１１に取付けられたカバー筐体１２および電池カバー１３などによって構成されている。
前記ベース筐体１１には、携帯電話機の各種の回路が設けられた本体基板１４が取付けられている。
【００２６】
前記カバー筐体１２は、前記ベース筐体１１と協働して前記本体基板１４を覆う形状に形成されている。また、このカバー筐体１２は、前記本体基板１４と後述する電池フレーム５とを前記ベース筐体１１と協働して挟む状態で、固定用ねじ１５（図２参照）によってベース筐体１１に固定されている。
前記電池カバー１３は、本発明に係る電池保持構造３によって保持された電池２を覆い保護するためのもので、前記ベース筐体１１に従来からよく知られている取付構造によって着脱可能に取付けられている。
【００２７】
この実施例による電池２は、図３に示すように、プラスチック製の電池ケース１６の内部に電池本体（図示せず）を収納した構造のものである。この電池２の一端部２ａには端子部６が設けられ、他端部２ｂには、指掛け部１７（図３参照）と、係合用突起１８（図５および図６参照）とが設けられている。
【００２８】
前記指掛け部１７は、電池２を電池フレーム５から取外すときに爪を掛けるためのもので、電池ケース１６の他端部２ｂに沿って所定長さだけ延在する突条によって構成されている。この実施例による指掛け部１７は、電池２の他端部２ｂの中央、すなわち図２に示すように、前記一端部２ａを下に位置付け、他端部２ｂを上に位置付けた状態において、左右方向の中央に配設されている。
【００２９】
前記係合用突起１８は、電池２が後述する電池押さえ８から外れることを防ぐためのもので、電池ケース１６の他端部２ｂに突設されている。この実施例による係合用突起１８は、電池ケース１６の前記左右方向の両端部、すなわち電池２の両側部分に配設されている。
【００３０】
この実施例による電池フレーム５は、図２〜図４に示すように、電池２の一端部２ａと対向する下部枠体２１と、この下部枠体２１の両端部から上側（電池２の他端部２ｂ側）に延在する左側枠体２２および右側枠体２３と、これらの枠体２１〜２３における携帯電話機の表側に位置する端部どうしを接続する底板２４とから構成されている。
前記下部枠体２１と、左側枠体２２および右側枠体２３とは、これらの枠体どうしの間に電池２が嵌合可能な凹陥部２５が形成されるように配置されている。電池２は、携帯電話機の裏側（図２の紙面の上方）から前記凹陥部２５内に嵌合する。
【００３１】
これらの枠体２１〜２４と電池２とのクリアランスは、電池２が下部枠体２１や左側枠体２２あるいは右側枠体２３に向けて移動するような強い衝撃（図２において下方向または左右方向へ電池２が押されるような衝撃）が加えられたときに、電池２がこれらの枠体２１〜２３に対して移動することがないように充分に狭く形成されている。
【００３２】
下部枠体２１には、電池２の端子部６に接触する複数の接触端子７（図２、図４および図６参照）を有する端子部材２６が設けられている。接触端子７は、導電性を有する板ばねによって形成されており、前記凹陥部２５内に臨んでいる。また、この接触端子７は、電池フレーム５に貼り付けられたＦＰＣ２７（Flexible Printed Circuits）を介して前記本体基板１４の電源回路に接続されている。ＦＰＣ２７と本体基板１４との接続は、ＦＰＣコネクタ、ＢｔｏＢのスタッキングコネクタ、ＡＣＦ圧着などの従来からよく知られている接続構造によって行うことができる。
【００３３】
左側枠体２２と右側枠体２３の外側部には、図３および図４に示すように、前記ベース筐体１１の係止爪２８が係止される係止用凹部２９が形成されている。また、左側枠体２２と右側枠体２３とにおける前記下部枠体２１とは反対側の端部には、電池押さえ８が組付けられている。
【００３４】
この実施例による電池押さえ８は、図２〜図４に示すように、電池２の前記他端部２ｂと平行に延在するように形成されており、電池フレーム５に平行移動自在に支持されている。詳述すると、この電池押さえ８は、図３および図４に示すように、前記左側枠体２２と右側枠体２３とに移動可能に保持された左右一対のガイド部３１，３１と、これらのガイド部３１どうしを接続する連結部３２とから構成されている。これらのガイド部３１と連結部３２とは、一体成形により一体に形成されている。
【００３５】
前記ガイド部３１は、図５に示すように、左側枠体２２と右側枠体２３の内側面３３と、携帯電話機裏側の端面３４（底板２４とは反対側に位置する端面）とに沿う形状に形成されている。また、このガイド部３１には、左側枠体２２と右側枠体２３の内側面３３に形成されたガイド溝３５に移動自在に嵌合するガイド片３６が設けられている。ガイド溝３５は、左側枠体２２と右側枠体２３の先端部から下部枠体２１に向けて所定の長さだけ延在するように形成されている。この実施例による電池押さえ８の移動する方向は、ガイド溝３５とガイド片３６との嵌合によって、左側枠体２２と右側枠体２３の長手方向に限定される。
【００３６】
また、ガイド部３１は、図６（Ｂ）に示すように、断面略Ｌ字状に形成されている。このガイド部３１における電池２の他端部２ｂと対向する壁部分３１ａには、係合用突起３７とピン３８とが一体に形成されている。
係合用突起３７は、図３、図５および図６に示すように、電池２の係合用突起１８と係合するものであり、前記壁部分３１ａに電池２側に突出するように設けられている。
【００３７】
この係合用突起３７は、図６（Ｂ）に示すように、電池２が電池フレーム５に嵌合した状態において、電池２の係合用突起１８より携帯電話機の裏側（同図において左側）に位置し、かつこの係合用突起１８に接触するような位置に配設されている。すなわち、この電池２が電池フレーム５に嵌合した収納状態においては、係合用突起１８，３７どうしが係合するために、電池２を電池フレーム５内から取出すことはできない。
【００３８】
前記ピン３８は、ガイド部３１の前記壁部分３１ａにおける前記係合用突起３７とは反対側に突設されている。このピン３８は、この実施例におけるばね部材９としての圧縮コイルばね３９を取付けるためのもので、円柱状に形成されている。このピン３８には、前記圧縮コイルばね３９の一端部が嵌合した状態で固定されている。この圧縮コイルばね３９の他端部は、電池フレーム５に設けられている保持板４０に嵌合した状態で固定されている。すなわち、圧縮コイルばね３９は、電池押さえ８と電池フレーム５との間に設けられており、電池押さえ８を電池２側へ付勢している。
【００３９】
加えて、断面Ｌ字状に形成されたガイド部３１の角部分には、傾斜面からなる誘い込み４１が形成されている。この誘い込み４１は、図６に示すように、側面視において、下部枠体２１に向かうにしたがって次第に底板２４に接近するように傾斜している。この実施例による電池押さえ８には、前記誘い込み４１が長手方向（図２においては左右方向）の一端部から他端部にわたって途切れることなく一連に延在するように形成されている。
【００４０】
前記連結部３２は、前記ガイド部３１と断面形状が同一になるように形成されている。この連結部３２の長手方向の中央部には、断面Ｌ字状の連結部３２の角部分を凹ませるようにして凹部４２が形成されている。この凹部４２は、電池２を取外すときに操作者の爪を挿入するためのものである。
【００４１】
この実施例による電池保持構造３において、電池２を装着するためには、先ず、図６（Ａ）に示すように、電池２の一端部２ａを電池フレーム５内に挿入する。このとき、端子部６が接触端子７に接触する。そして、同図中に矢印Ａで示すように、電池２をその一端部２ａを中心にして他端部２ｂが電池押さえ８に接近するように揺動させる。この電池２の揺動により、電池２の他端部２ｂが電池押さえ８の誘い込み４１に接触し、電池押さえ８を押圧するようになる。このとき、電池押さえ８は、電池２が誘い込み４１上を滑ることによって、圧縮コイルばね３９のばね力に抗して矢印Ｂで示す方向に後退する。この実施例に示したように電池押さえ８に誘い込み４１を形成することによって、電池２の装着を容易に行うことができる。
【００４２】
上述したように電池押さえ８が後退している状態で電池２を更に押圧することによって、電池２は、図６（Ｂ）に示すように、電池フレーム５の底板２４と当接するまで進み、電池フレーム５内に収納される。この収納状態においては、電池２の係合用突起１８と電池フレーム５の係合用突起３７とが係合する。また、電池押さえ８は、圧縮コイルばね３９のばね力によって電池２の前記他端部２ｂに押し付けられ、電池２を下部枠体２１に向けて押圧する。
【００４３】
この押圧により、電池２にその一端部２ａから他端部２ｂに向けて押すような衝撃が加えられたとしても、電池２は移動することがなく、静止した状態を維持することになる。このように電池２が電池フレーム５に装着された後、電池カバー１３をベース筐体１１に取付ける。
【００４４】
一方、電池２を電池フレーム５から取外すためには、電池カバー１３をベース筐体１１から取外した状態において、電池押さえ８の凹部４２と電池２の指掛け部１７との間に操作者の爪を挿入し、その爪で前記指掛け部１７を引くことによって行う。前記凹部４２に爪を挿入することによって、電池押さえ８を圧縮コイルばね３９のばね力に抗して後退させることができ、電池押さえ８の係合用突起３７と電池２の係合用突起１８との係合を解除することができる。このため、電池押さえ８を後退させる操作と電池２を引き出す操作とを一つの挙動で行うことができ、電池２を取外す操作を容易に行うことができる。
【００４５】
このため、この実施例においても、電池押さえ８が圧縮コイルばね３９のばね力によって電池２を他端部２ｂ側から一端部２ａ側に向けて押圧し、電池２の端子部６が電池フレーム５の接触端子７に押し付けられるから、電池２の端子部６と電池フレーム５の接触端子７との電気的接続を良好な状態に保つことができる。
【００４６】
また、電池フレーム５を成形する金型は、ベース筐体１１を成形する金型より小さくてよいから、電池フレーム５は、ベース筐体１１の寸法精度を高くする場合に較べて少ない費用で精度よく形成することができる。しかも、電池フレーム５は、電子機器本体４に較べて小型であり、成形時の収縮量も少ないために小さい寸法公差で形成することができる。このため、電池フレーム５と電池２とのクリアランスを衝撃で電池２が遊動することがないように小さく形成することができる。
したがって、この実施例においても、低いコストで電池２の遊動を規制し、電気的接続が絶たれることがないように常に電池２を正しく保持することが可能な電子機器の電池保持構造を提供することができる。
【００４７】
この実施例による前記電池押さえ８は、前記電池２の他端部２ｂの両側部分を押圧するものである。このため、電子機器本体４から電池フレーム５を介して電池２に衝撃が加えられたときに電池２の一箇所のみが押圧されて電池２が傾くようなことはない。この結果、この実施例によれば、電池２の端子部６と電池フレーム５の接触端子７との電気的接続の信頼性をより一層向上させることができる。
【００４８】
また、この実施例による前記電池押さえ８は、電池２の前記他端部２ｂと平行に延在するように形成されて前記電池フレーム５に平行移動自在に支持されている。この電池押さえ８は、圧縮コイルばね３９によって電池２側へ付勢されている。このため、電池押さえ８を圧縮コイルばね３９のばね力に抗して電池２とは反対側へ移動させることによって、電池２を電池フレーム５から取外すことができるようになる。すなわち、電池２の両側部を押圧する構造を採っているにもかかわらず、電池押さえ８の一箇所（凹部４２）を爪や指で押すことによって、前記押圧を解除することができる。
このため、この実施例によれば、電池２を取外すときの操作が容易な電池保持構造を提供することができる。
【００４９】
（第３の実施例）
電池押さえは図７〜図９に示すように構成することができる。これらの図において、前記図１〜図６によって説明したものと同一もしくは同等の部材については、同一符号を付し詳細な説明を適宜省略する。
【００５０】
この実施例による電池フレーム５は、図７に示すように、電池２の前記他端部２ｂと対向する上部枠体５１を備えている。なお、図７は、電池フレーム５をベース筐体１１に取付けた状態で描いてある。
この実施例においては、前記上部枠体５１の一端部５１ａと左側枠体２２との接続部に第１の電池押さえ５２が設けられ、前記上部枠体５１の他端部５１ｂと右側枠体２３との接続部に第２の電池押さえ５３が設けられている。これらの第１、第２の電池押さえ５２，５３は、同一の構造となるように形成されている。
【００５１】
これら第１、第２の電池押さえ５２，５３は、図８および図９に示すように、上部枠体５１と左側枠体２２または右側枠体２３とに支持された支軸５４と、この支軸５４に回動自在に支持されたフック５５と、このフック５５を電池２に向けて付勢するねじりコイルばね５６とから構成されている。
前記支軸５４の軸線方向は、電池２の一側部から他側部に向かう方向（図７において左右方向）である。
前記フック５５における支軸５４より携帯電話機の裏側に離間した部位には、電池２を指向する断面略三角形状の係合用突起５７が一体に形成されている。この係合用突起５７は、電池２の前記他端部２ｂに形成されている係合用凹部（図示せず）に係合するものである。
【００５２】
この係合用突起５７は、携帯電話機の裏側（図８および図９においては上側）と表側とにそれぞれ傾斜面が位置するように形成されている。すなわち、この係合用突起５７には、電池２を装着するときにフック５５が後退するように誘い込み４１が形成されている。
前記ねじりコイルばね５６は、前記支軸５４が貫通する状態で前記フック５５と電池フレーム５との間に設けられており、前記フック５５を前記係合用突起５７が電池２に接近する方向に付勢している。
【００５３】
この実施例において、電池２を電池フレーム５に装着するためには、先ず、電池２の一端部２ａを電池フレーム５内に挿入した後、電池２の他端部２ｂで第１、第２の電池押さえ５２，５３のフック５５を押す。このとき、電池２は、フック５５の係合用突起５７に形成されている誘い込み４１に接触し、誘い込み４１に対して滑ることによって、フック５５をねじりコイルばね５６のばね力に抗して後退させる。
【００５４】
そして、電池２を更に電池フレーム５内に押し込むことによって、電池２が電池フレーム５内に嵌合状態で収納されることになる。電池２が電池フレーム５内に収納されている状態においては、前記フック５５の係合用突起５７が電池２の係合用凹部内に係入し、このフック５５がねじりコイルばね５６のばね力で電池２を下部枠体２１側へ押圧する。
【００５５】
電池２を電池フレーム５から取外すためには、電池２の指掛け部１７に爪を掛けて引くことによって行うことができる。このように電池２が引かれることによって、前記フック５５がねじりコイルばね５６のばね力に抗して後退方向に回動し、係合用突起５７と係合用凹部との係合が解除される。
したがって、この実施例に示す構成を採る場合でも上述した実施例と同等の効果を奏する。
【００５６】
この実施例による前記第１、第２の電池押さえ５２，５３は、前記電池フレーム５に電池２の一側部から他側部に向かう方向の軸線回りに回動自在に支持されており、電池２と係合する方向にねじりコイルばね５６によって付勢されている。
このため、この実施例において、第１、第２の電池押さえ５２，５３を設置するスペースは、電池フレーム５に電池押さえ８を平行移動自在に支持させる場合の電池押さえ８の設置スペースに較べて狭くてよい。このため、この実施例によれば、コンパクトな電池保持構造を提供することができる。
【００５７】
なお、上述した各実施例においては、本発明を携帯電話機に適用する例を示したが、本発明は、このような限定にとらわれることはなく、例えば携帯情報端末や、ラップトップ型のパーソナルコンピュータなどにも適用することができる。
【符号の説明】
【００５８】
１…電子機器、２…電池、３…電池保持構造、４…電子機器本体、５…電池フレーム、６…端子部、７…接触端子、８…電池押さえ、３９…圧縮コイルばね、５２…第１の電池押さえ、５３…第２の電池押さえ、５４…支軸、５５…フック、５６…ねじりコイルばね、１８，３７，５７…係合用突起。
【図１】
2011086430.tif 000003
【図２】
2011086430.tif 000004
【図３】
2011086430.tif 000005
【図４】
2011086430.tif 000006
【図５】
2011086430.tif 000007
【図６】
2011086430.tif 000008
【図７】
2011086430.tif 000009
【図８】
2011086430.tif 000010
【図９】
2011086430.tif 000011